(57)【特許請求の範囲】
【請求項１】
それぞれが同じ所定時間ずつ順番に動作状態となる第１乃至第４機器と、前記第１機器および前記第３機器が動作状態に入る第１および第３タイミング、および、この第１タイミングから前記所定時間以上遅れ前記第３タイミングよりも早い第２タイミング、前記第３タイミングから前記所定時間よりも短い時間遅れた第４タイミングの各タイミングで、パルス状の送信信号を繰り返し送信する送信手段と、前記送信信号から送信されたパルス状の送信信号を順に受信し、前記第１乃至第４タイミングに対応する第１乃至第４受信データを出力する受信手段と、この受信手段から出力される前記第１受信データで立ち上がり前記第２受信データで立ち下がる第１データ信号および前記第３受信データで立ち上がり前記第４受信データで立ち下がる第２データ信号を生成するデータ生成手段と、前記第１データ信号および前記第２データ信号から前記第１データ信号および前記第２データ信号に同期して立ち上がり、この立ち上がりから前記所定時間後に立ち下がるクロック信号を生成するクロック生成手段と、前記クロック信号を利用し、隣合う前記クロック信号間それぞれの立ち下がり間でハイレベルでそれ以外はローレベルの第１識別信号および隣合う前記クロック信号間それぞれの立ち上がり間でハイレベルでそれ以外はローレベルの第２識別信号を生成する識別信号生成手段と、前記第１識別信号および前記第２識別信号のハイレベルとローレベルの組み合わせから第１乃至第４機器を動作状態に設定する制御信号を生成する制御信号生成手段とを具備した機器の切換装置。
【請求項２】
パルス状の送信信号が赤外線で送られることを特徴とする請求項１記載の機器の切換装置。
【発明の詳細な説明】
【０００１】
【発明の属する技術分野】
本発明は、複数の機器に対して離れた場所から制御用の送信信号を送り、これによって複数の機器が順番に動作するようにした機器の切換装置に関する。
【０００２】
【従来の技術】
例えば、複数の機器を順番に繰り返し動作させるように離れた場所から制御する場合、所定位置の送信機から各機器が動作を開始するタイミングでパルス状の送信信号を送る方法が考えられる。しかし、この場合、同じパルス状の送信信号が複数の機器でそれぞれ同時に受信され、動作状態に入る特定の１つの機器を指定することができない。このため、従来の機器の切換装置では、動作させる機器を識別できるような構成がとられている。
【０００３】
その１つの方法は、動作状態に入る機器を識別するためにコード化した信号を送信側から送り、受信側では送られてきたデータを解読し、解読した結果で特定の機器が動作する方法である。この場合、データの解読などには例えばマイクロプロセッサが利用される。
【０００４】
もう１つの方法は、周波数が相違する送信信号を送信側から送り、受信側では、送られてきた周波数の組み合わせを検出し、その検出結果で特定の機器が動作する方法である。
【０００５】
【発明が解決しようとする課題】
前者のマイクロプロセッサを利用する方法の場合、データは通常、複数のビットで構成されている。このため、データの解読に時間がかかり高速の切り換えには適さない。また、後者の複数種類の周波数を利用する方法の場合、複数の周波数を処理する送受信回路が必要となり回路構成が大型化する。
【０００６】
本発明は、上記した欠点を解決するもので、高速の切り換えができ、また、小型化できる機器の切換装置を提供することを目的とする。
【０００７】
【課題を解決するための手段】
本発明の機器の切換装置は、それぞれが同じ所定時間ずつ順番に動作状態となる第１乃至第４機器と、前記第１機器および前記第３機器が動作状態に入る第１および第３タイミング、および、この第１タイミングから前記所定時間以上遅れ前記第３タイミングよりも早い第２タイミング、前記第３タイミングから前記所定時間よりも短い時間遅れた第４タイミングの各タイミングで、パルス状の送信信号を繰り返し送信する送信手段と、前記送信信号から送信されたパルス状の送信信号を順に受信し、前記第１乃至第４タイミングに対応する第１乃至第４受信データを出力する受信手段と、この受信手段から出力される前記第１受信データで立ち上がり前記第２受信データで立ち下がる第１データ信号および前記第３受信データで立ち上がり前記第４受信データで立ち下がる第２データ信号を生成するデータ生成手段と、前記第１データ信号および前記第２データ信号から前記第１データ信号および前記第２データ信号に同期して立ち上がり、この立ち上がりから前記所定時間後に立ち下がるクロック信号を生成するクロック生成手段と、前記クロック信号を利用し、隣合う前記クロック信号間それぞれの立ち下がり間でハイレベルでそれ以外はローレベルの第１識別信号および隣合う前記クロック信号間それぞれの立ち上がり間でハイレベルでそれ以外はローレベルの第２識別信号を生成する識別信号生成手段と、前記第１識別信号および前記第２識別信号のハイレベルとローレベルの組み合わせから第１乃至第４機器を動作状態に設定する制御信号を生成する制御信号生成手段とを具備している。
【０００８】
また、パルス状の送信信号が赤外線で送られることを特徴としている。
【０００９】
上記した構成によれば、それぞれが同じ所定時間ずつ順番に動作状態となり、それ以外の時間は非動作状態となる第１乃至第４機器に対し、第１および第３機器が動作状態に入る第１および第３タイミング、および、この第１タイミングから所定時間以上遅れ第３タイミングよりも早い第２タイミング、第３タイミングから所定時間よりも短い時間遅れた第４タイミングの各タイミングで、パルス状の送信信号を繰り返し送信手段から送信している。そして、機器の側では、送信手段から送信されたパルス状の送信信号から第１乃至第４機器を動作状態に設定する制御信号を生成している。この場合、送信手段では、所定のタイミングで例えば単一周波数のパルス状の送信信号を送るだけよく、動作状態になる機器を特定するためのコード化などが必要とされない。また、送信信号として複数種類の周波数を送る必要もない。したがって、マイクロプロセッサなどを利用して複数ビットのコードを解読したり、複数種類の周波数を処理したりする必要がなくなる。このため、高速の切り換えができ、また、小型化できる機器の切換装置を実現できる。
【００１０】
また、パルス状に送られる送信信号の間隔が一様でないため、このような送信信号の間隔の相違を利用して、例えば、最初に動作する機器が動作状態に入るタイミングを決定することができる。
【００１１】
【発明の実施の形態】
本発明の実施の形態について図１を参照して説明する。符号１１は送信機で、符号１２ａ〜１２ｄは、送信機１１から離れた場所に位置し、送信機１１から送られる送信信号によって動作状態が制御される４個の機器である。４個の機器１２ａ〜１２ｄは、受信回路１２１やデータ生成回路１２２、フェーズロックループ回路１２３、タイミング識別信号生成回路１２４、制御信号生成回路１２５などから構成されている。
【００１２】
４個の機器１２ａ〜１２ｄは、それぞれ送信機１１から送られる送信信号をもとに、それぞれが同じ所定時間ずつ順番に動作状態となり、それ以外の時間は非動作状態に設定される。例えば、図２（ａ）で示すように、機器１２ａ〜１２ｄはそれぞれが同じ所定時間ｔ、即ち時間Ｔａ〜Ｔｄで順に動作状態となり、それ以外の時間は非動作状態となる。
【００１３】
そして、送信機１１から図２（ｂ）のようなタイミングでパルス信号Ｐａ〜Ｐｄが赤外線を利用して送信される。パルス信号Ｐａは機器１２ａが動作状態に入る第１タイミングＴ１で送信され、パルス信号Ｐｂは、パルス信号Ｐａよりも所定時間ｔ以上遅れ、そして機器１２ｃが動作状態に入るよりも早い第２タイミングＴ２、例えば、機器１２ｂの動作時間Ｔｂの中央のタイミングで送信される。また、パルス信号Ｐｃは機器１２ｃが動作状態に入る第３タイミングＴ３で送信される。そして、パルス信号Ｐｄは、パルス信号Ｐｃから所定時間ｔよりも短い時間だけ遅れた第４タイミングＴ４、例えば、機器１２ｃの動作時間Ｔｃの中央のタイミングで送信される。
【００１４】
そして、上記したようなパルス信号Ｐａ〜Ｐｄが送信機１１から繰り返し送信される。
【００１５】
上記したパルス信号Ｐａ〜Ｐｄは４個の機器１２ａ〜機器１２ｄでそれぞれ受信される。なお、各機器１２ａ〜１２ｄの構成や動作はほぼ同一であるため、以下の説明では機器１２ａについて説明し、その他の機器１２ｂ〜１２ｄについては相違する部分について説明する。
【００１６】
機器１２ａは、送信機１１から送られるパルス信号Ｐａ〜Ｐｄを受信回路１２１で受信し、図２（ｃ）に示すように第１乃至第４タイミングに対応する第１乃至第４の受信データＲａ〜Ｒｄを生成し、データ生成回路１２２に送る。
【００１７】
データ生成回路１２２は、フリップフロップ回路などから構成され、受信データＲａ〜Ｒｄをもとに、図２（ｄ）に示すような第１データ信号Ｄ１および第２データＤ２信号を生成する。第１データ信号Ｄ１は、受信データＲａが生成される第１タイミングＴ１で立ち上がり受信データＲｂが生成される第２タイミングＴ２で立ち下がっている。また、第２データ信号Ｄ２は、受信データＲｃが生成される第３タイミングＴ３で立ち上がり受信データＲｄが生成される第４タイミングＴ４で立ち下がっている。そして、第１データ信号Ｄ１および第２データ信号Ｄ２はフェーズロックループ回路１２３に送られる。
【００１８】
フェーズロックループ回路１２３は、入力される信号と同期した信号を生成するフェーズロック機能や信号が立ち上がってから一定時間で立ち下がる波形を生成する機能を有している。そして、図２（ｅ）に示すように、第１データ信号Ｄ１および第２データ信号Ｄ２に同期して立ち上がり、この立ち上がりから前記所定時間ｔ後に立ち下がる第１および第２クロック信号Ｃ１、Ｃ２を生成する。なお、第１および第２クロック信号Ｃ１、Ｃ２はタイミング識別信号生成回路１２４に送られる。
【００１９】
タイミング識別信号生成回路１２４は、隣合うクロック信号Ｃ１、Ｃ２間のそれぞれの立ち下がりの間で例えばハイレベルとなりそれ以外は例えばローレベルとなる第１識別信号Ｓ１（図２（ｆ））、および、隣合うクロック信号Ｃ１、Ｃ２間のそれぞれの立ち上がり間で例えばハイレベルとなりそれ以外は例えばローレベルとなる第２識別信号Ｓ２（図２（ｇ））を生成する。そして、第１識別信号Ｓ１および第２識別信号Ｓ２は制御信号生成回路１２５に送られる。
【００２０】
制御信号生成回路１２５では、第１識別信号Ｓ１および第２識別信号Ｓ２のハイレベルとローレベルの組み合わせから、第１乃至第４機器を順に動作状態にする４個の制御信号Ｑａ〜Ｑｄ（図２（ｈ）〜図２（ｋ））を生成する。例えば、第１識別信号Ｓ１がローレベルで第２識別信号Ｓ２がハイレベルの場合に第１制御信号Ｑａが生成される。また、第１識別信号Ｓ１および第２識別信号Ｓ２の両者がハイレベルの場合に第２制御信号Ｑｂが、また、第１識別信号Ｓ１がハイレベルで第２識別信号Ｓ２がローレベルの場合に第３制御信号Ｑｃが、そして、第１識別信号Ｓ１および第２識別信号Ｓ２の両者がローレベルの場合に第４制御信号Ｑｄが生成される。これらの制御信号Ｑａ〜Ｑｄは各機器１２ｂ〜１２ｄの駆動回路（図示せず）に送られ、各機器１２ｂ〜１２ｄは動作状態に入る。
【００２１】
例えば、機器１２ａは、制御信号生成回路１２５において第１制御信号Ｑａが生成されている間、動作状態となる。同様に、機器１２ｂ〜１２ｄは、それぞれ第２〜第４制御信号Ｑｃ〜Ｑｄが生成されている間、動作状態となる。
【００２２】
なお、送信機１１からパルス信号Ｐａ〜Ｐｄが繰り返し送信されるため、各機器１２ｂ〜１２ｄでは上記した動作が順に繰り返される。
【００２３】
また、上記した実施形態では、送信機１１から送信されるパルス信号Ｐａ〜Ｐｄには赤外線が利用されている。しかし、赤外線以外のマイクロ波など他の周波数帯を利用することもできる。
【００２４】
また、信号波形の説明に立ち上がりとか立ち下がりという表現が使用されている。これらは、必ずしも、信号レベルが高い状態から低い状態へ、また、低い状態から高い状態への変化に対応するものではなく、例えば、高低２つのレベルがある場合に、その一方のレベルから他方のレベルへの変化を意味している。また、ハイレベルやローレベルという表現も、例えば、高低２つの信号レベルがある場合にそのいずれか一方を意味するもので、必ずしも、ハイレベルが高レベルに、また、ローレベルが低レベルに対応するものではない。
【００２５】
【発明の効果】
本発明によれば、高速の切り換えができ、また、小型化できる機器の切換装置を実現できる。
【図面の簡単な説明】
【図１】本発明の実施の形態を示す回路構成図である。
【図２】本発明の動作を説明する波形図である。
【符号の説明】
１１…送信機
１２ａ〜１２ｄ…機器
１２１…受信回路
１２２…データ生成回路
１２３…フェーズロックループ回路
１２４…タイミング識別信号生成回路
１２５…制御信号生成回路
Ｔａ〜Ｔｄ…各機器が動作状態にある時間
ｔ…各機器が動作する時間
Ｐａ〜Ｐｄ…パルス送信信号
Ｒａ〜Ｒｄ…受信データ
Ｄ１、Ｄ２…データ信号
Ｃ１、Ｃ２…クロック信号
Ｓ１、Ｓ２…識別信号
Ｑａ〜Ｑｄ…制御信号
【図１】
0003779022.tif 000002
【図２】
0003779022.tif 000003